(57)【要約】【課題】扉枠や窓枠に装着可能な締付け金具を提供し、換気用ドアストッパーや把手や補助手摺及び室内物干し等の住宅用アクセサリーを該取付部位を傷つけることなく強固に取り付ける。【解決手段】アングル状の締付け金具本体２にアングル状の締付け金具部材３を摺動可能に嵌着して、該締付け金具本体２と締付け金具部材３を前記締付け金具本体２に設けたトラスネジ４により螺着してチャンネル形状の締付け金具１を形成し、該締付け金具１のチャンネル開口部５を前記トラスネジ４の回動により調整及び締結し、扉枠や窓枠に挟持して固着する。【選択図】  図３
2004244825.tif 000002
【特許請求の範囲】
【請求項１】
アングル状の締付け金具本体２にアングル状の締付け金具部材３を摺動可能に嵌着して、該締付け金具本体２と締付け金具部材３を前記締付け金具本体２に設けたトラスネジ４により螺着してチャンネル形状の締付け金具１を形成し、該締付け金具１のチャンネル開口部５を前記トラスネジ４の回動により調整及び締結し、扉枠１２や窓枠３３の両側面より該扉枠や窓枠に挟持して固着すること、
を特徴とする住宅用アクセサリーを扉枠や窓枠に取付けるための締付け金具。
【請求項２】
前記締付け金具１を介して扉枠１２に宅配便受け取りのための印鑑やボールペン及びメモ等のホルダー１３を固着すること、
を特徴とする請求項１記載の住宅用アクセサリーを扉枠や窓枠に取付けるための締付け金具。
【請求項３】
前記締付け金具１を介して扉枠１２に換気用のドアストッパー２１を固着すること、
を特徴とする請求項１記載の住宅用アクセサリーを扉枠や窓枠に取付けるための締め付け金具。
【請求項４】
前記締付け金具１を介して扉枠１２に把手２９や補助手摺等を固着すること、
を特徴とする請求項１記載の住宅用アクセサリーを扉枠や窓枠に取付けるための締付け金具。
【請求項５】
前記締付け金具１を介して窓枠３３に室内物干し３２を固着すること、
を特徴とする請求項１記載の住宅用アクセサリーを扉枠や窓枠に取付けるための締付け金具。
【請求項６】
前記締付け金具１を介して窓枠３３にプランター掛け３７を固着すること、
を特徴とする請求項１記載の住宅用アクセサリーを扉枠や窓枠に取付けるための締付け金具。
【発明の詳細な説明】
【０００１】
【発明の属する技術分野】
本発明は、扉枠や窓枠に住宅用アクセサリーを取付るための締付け金具に関するものである。
【０００２】
賃貸住宅において、各種の住宅用アクセサリーを入居者が、壁や柱等に直接取付ることは、ビス孔や釘孔で壁や柱を傷つけることになり、多くの場合賃貸契約の禁止条項になっていて、取付が出来ないため、不自由で不便な生活を強いられている。
【０００３】
本発明は、扉枠や窓枠に装着可能な締付け金具を提供し、該住宅用アクセサリー取付部位を傷つけることなく、各種住宅用アクセサリーを扉枠や窓枠に強固に装着出来るようにしたものである。
【０００４】
【従来の技術】
扉枠に取付られる住宅用アクセサリーには、換気用のドアストッパー、宅配便受け取りのための印鑑やボールペン及びメモ等のホルダー、靴の履き替え時などに支えになる把手等がある。
【０００５】
また、窓枠に取付られる住宅用アクセサリーには、室内物干しや、プランター掛け等がある。
【０００６】
しかしながら、上記住宅用アクセサリーを入居者が取付けようとすると、壁や柱にビス止めや、釘打ちするか、両面接着テープや、吸盤により壁面や柱面に接着する等の方法しかなかった。
【０００７】
而して、ビス止めや、釘打ちによる住宅用アクセサリーの取付け方法は、壁や柱にビス孔や釘孔を作ってしまうので、壁や柱を傷つけることの出来ない賃貸住宅では、我慢することになる。
【０００８】
従って、固着性能の悪い両面接着テープや、吸盤による住宅用アクセサリーの取付がなされ、該住宅用アクセサリーは、自重や荷重に耐えきれず頻繁に固着面から離脱してしまう使い物にならない代物であった。
【０００９】
【発明が解決しようとする課題】
而して、本発明は、上述の点に鑑みてなされたものであり、扉枠や窓枠に各種住宅用アクセサリーを装着可能な締付け金具を提供し、該住宅用アクセサリーを扉枠や窓枠を傷つけることなく強固に固着出来るようにしたものである。
【００１０】
【課題を解決するための手段】
本発明の住宅用アクセサリーを扉枠や窓枠に取付けるための締付け金具は、扉枠や窓枠がその納まり上、必ず凸部を有している点に注目し、該凸部を挟持する共通の締付け金具を提供した。
【００１１】
即ち、扉枠にあっては、鋼製の折り曲げ材が多いが、該部材は扉の気密性を良くするために部屋内側に合決りの凸部があり、また扉枠と内壁部の納まりは、内壁に対して扉枠が突出している形状が一般的である。窓枠の納まりも同様に、開口部に対する合決りや、内壁に対して窓枠が突出形状であることが多く、該窓枠の場合、木製であっても本発明の締付け金具は、不都合を生じない。
【００１２】
斯くして、本発明は、前記扉枠や窓枠の凸部を挟持する共通の締付け金具を用い換気用のドアストッパー、宅配便受け取り用の印鑑等小物ホルダー、把手、並びにプランター掛けや室内物干し等の各種住宅用アクセサリーを扉枠や窓枠を傷つけることなく、強固に固着することが出来る。
【００１３】
本発明の締付け金具は、アングル状の締付け金具本体にアングル状の締付け金具部材を摺動可能に嵌着して、該締付け金具本体と締付け金具部材を締付け金具本体に設けたトラスネジにより螺着してチャンネル形状の締付け金具を形成し、該締付け金具のチャンネル開口側を前記トラスネジの回動により調整及び締結し、扉枠や窓枠の凸部を両側面より挟持して固着するものである。
【００１４】
前記締付け金具本体には、共通部品として各種住宅用アクセサリーが取付けられるビス孔並びに前記住宅用アクセサリーが締付け金具に対して回転可能に取付けることの出来るカシメ用リベット孔が穿たれている。
【００１５】
また、締付け金具本体、及び締付け金具部材の扉枠や窓枠凸部側面に当接する部分には滑り防止ゴムが設けられており、滑り止めと緩衝効果を発揮するので、本発明の締付け金具は、強固にトラスネジを締付け扉枠や窓枠に取付けても、該扉枠や窓枠を傷つけることがない。
【００１６】
【発明の実施の形態】
発明の実施の形態を実施例に基づき図面を参照して説明する。
図１及び図２は本発明の住宅用アクセサリーを扉枠や窓枠に取付けるための締付け金具を説明するための斜視説明図である。
【００１７】
図１及び図２に於いて、本発明の締付け金具１は、アングル状の締付け金具本体２にアングル状の締付け金具部材３を矢印Ａ方向に摺動可能に嵌着して、該締付け金具本体２と締付け金具部材３を締付け金具本体２に設けたトラスネジ４により螺着してチャンネル形状の締付け金具１を形成し、該締付け金具１のチャネル開口部５を前記トラスネジ４の回動により調整及び締結し、扉枠や窓枠の凸部６を両側面より挟持して固着するものである。
【００１８】
前記締付け金具本体２には、共通部品として各種住宅用アクセサリーが取付けられるビス孔７ａ、７ｂ、７ｃ、７ｄ、並びに住宅用アクセサリーが締付け金具１に対して回転可能に取付けることの出来るカシメ用リベット孔８が穿たれている。
【００１９】
また、締付け金具本体２、及び締付け金具部材３の扉枠や窓枠凸部６側面に当接する部分には滑り止めゴム９、１０が設けられており、滑り止めと緩衝効果を発揮するので、該滑り止めゴム９、１０を介して挟持される締付け金具１により、扉枠や窓枠が傷つけられることはない。
【００２０】
尚、図１における締付け金具部材３の締付け金具本体２への嵌合部１１ａ、１１ｂは、前記締付け金具本体２の嵌合溝（図示せず）に嵌着され、トラスネジ４を回動することにより嵌合溝内を摺動し、締付け金具１のチャンネル開口部５を互いに摺動可変している。
【００２１】
【実施例１】
図３は、本発明の締付け金具１を用いて玄関等の扉枠１２に宅配便受け取りのための印鑑やボールペン及びメモ等のホルダー１３を取り付けた例を示す実施例説明図である。
【００２２】
図３に於いて、締付け金具１は、締付け金具本体２と締付け金具部材３からなり、該締付け金具１は、扉枠１２にトラスネジ４にて挟持され固着されている。
【００２３】
ホルダー１３は、ホルダー本体１４を回転可能に支持するベースプレート１５により、前記締付け金具本体２に予め設けられているビス孔７ａ、７ｂ、７ｃ、７ｄに取付ビス１６ａ、１６ｂ、１６ｃ、１６ｄを介して取付けられている。
【００２４】
而して、ホルダー本体１３には、印鑑ホルダー孔１７ａ、１７ｂやボールペンホルダー孔１８ａ、１８ｂ及びメモホルダー孔１９が穿たれており、印鑑やボールペン並びにメモ用紙等が保管できる。
【００２５】
また、ホルダー本体１４は、前記締付け金具１に対してベースプート１５部分で軸２０を中心に回転可能に取付けられており、不要時には、想像線Ｂの如く内壁側に片づけて置くことができる。
【００２６】
斯くして、実施例１に於いては、図６における扉の部屋内側のホルダー１３の如く扉枠１２に取り付けられ、該取付は扉枠１２の凸部に締付け金具１を挟持して固着するために、扉枠を傷つけることがなく強固に固着できる。
【００２７】
【実施例２】
図４は、本発明の締付け金具１を用いて玄関等の扉枠１２に換気用のドアストッパー２１を取付けた例を示す実施例説明図である。
【００２８】
図４に於いて、締付け金具１は、締付け金具本体２と締付け金具部材３からなり、該締付け金具１は、扉枠１２にトラスネジ４にて挟持され固着されている。
【００２９】
ドアストッパー本体２２は、締付け金具本体２に設けられているカシメ用リベット孔８にリベット２３を用いて回転可能に取付けられており、使い勝手により該回転方向を規制する制止ビス２４が、前記締付け金具本体２のビス孔７ｄに植設されていて、想像線Ｃ方向のみの回動が得られる。
【００３０】
ドアストッパー本体２２は締付け金具本体２への取付部２５，該取付部２５に支持されたアーム２６，該アーム２６先端部に設けられた戸当りゴム２７より形成されている。
【００３１】
而して、実施例２のドアストッパー２１は、図６における玄関の扉枠１２に取り付けられ、図に示す如く玄関扉２８を換気のために開け、該玄関扉２８を少し開閉した状態にて支持することが出来る。
【００３２】
前記、ドアストッパー２１の扉枠１２への取付は、該扉枠１２の凸部に締付け金具１を挟持して固着するために、該扉枠１２を傷つけることなく強固に固着出来る。
【００３３】
【実施例３】
図５は、本発明の締付け金具１を一対用いて玄関の扉枠１２に靴の履き替え時などに支えになる把手２９を取付けた例を示す実施例説明図である。
【００３４】
図５に於いて、締付け金具１は、扉枠１２上にある間隔を置いて一対設けられ、該締付け金具１はそれぞれ締付け金具本体２と締付け金具部材３からなり、該締付け金具１は、それぞれ扉枠１２にトラスネジ４にて挟持され固着されている。
【００３５】
把手２９は、把手棒３０と両端に取り付けられたブラケット３１ａ、３１ｂからなり、該ブラケット３１ａ、３１ｂは、前記一対の締め付け金具本体２に予め設けられているビス孔７ａ、７ｂ、７ｃ、７ｄに取付ビス１６ａ、１６ｂ、１６ｃ、１６ｄにて、それぞれ取付られている。
【００３６】
把手２９は、高齢者用の補助手摺としても役立つもので、該把手２９が、図６に示す扉枠１２に強固に固着出来ることは非常に有用である。
【００３７】
斯くして、実施例３は、一対の締付け金具１を扉枠１２に取付け、該締付け金具間をブラケット３１ａ、３１ｂを介して把手棒３０を装架するもので、実施例３においても、それぞれの締付け金具  １の取付が扉枠１２の凸部に締付け金物１を挟持して固着するため、扉枠１２を傷つけることがなく強固に把手２９を固着出来る。
【００３８】
【実施例４】
図７は、本発明の締付け金具１を用いて室内物干し３２を窓枠３３に取り付けた例を示す実施例説明図である。
【００３９】
図３に於いて、締付け金具１は、締付け金具本体２と締付け金具部材３からなり、該締め付け金具１は、窓枠３３にトラスネジ４にて挟持され固着されている。
【００４０】
室内物干し３２は、三本の物干しアーム３４ａ、３４ｂ、３４ｃをそれぞれ想像線Ｃ、Ｃ’、Ｃ”のように回転可能に支持する回転軸３５を有するブラケット３６を、前記締付け金具本体２に取付ビス１６ａ、１６ｂ、１６ｃ、１６ｄにて取付ける。
【００４１】
而して、実施例４は、図９に於ける窓枠３３に室内物干し３２の如く取り付けられ、該室内物干し３２は、自重に加え、干し物の重量も加わるが、該室内物干し３２を取り付ける締付け金具１は、窓枠の凸部を挟持して固着するために、窓枠３３を傷つけることがなく強固に固着できる。
【００４２】
【実施例５】
図８は、本発明の締付け金具１を用いてプランター掛け３７を窓枠３３に取り付けた例を示す実施例説明図である。
【００４３】
図８に於いて、締付け金具１は、締付け金具本体２と締付け金具部材３からなり、該締付け金具１は、窓枠３３にトラスネジ４にて挟持され固着されている。
【００４４】
プランター掛け３７は、プランターアーム３８を回転可能に支持する回転軸３５を有するブラケット３９を、前記締付け金具本体２に取付ビス１６ａ、１６ｂ、１６ｃ、１６ｄにて取付られる。またプランターアーム３８は、リサイクルウッド等にて作られ、プランターを装架するための切欠部４０ａ、４０ｂ、４０ｃや、丸孔４１ａ、４１ｂが穿たれており、色々のものを吊すことが出来る。
尚、４２は、プランターアーム３８の回転方向規制ストッパーである。
【００４５】
而して、実施例５は、図９に於ける窓枠３３にプランター掛け３７を取り付けた状態を示しており、該プランター掛け３７は図９に示す如く、対向する窓枠３３’に、もう１個のプランター掛け３７’を配置し、該プランター掛け３７，３７’間に物干し竿４３を装架すれば、室内物干しとしても、その利用価値は大きい。
【００４６】
また、実施例５にあっても、窓枠３３に取り付ける締付け金具１は、窓枠の凸部を挟持して固着するために、窓枠３３を傷つけることがなく強固に固着できる。
【００４７】
【発明の効果】
斯くして、本発明は、上述のように構成されるので、扉枠や窓枠に各種住宅用アクセサリーを装着可能な締付け金物を提供し、該住宅用アクセサリーを扉枠や窓枠を傷つけることなく強固に装着できるようにしたので、本発明の効果は非常に大きい。
【００４８】
また、従来この種の住宅用アクセサリーは、取付部位に傷を付けないよう両面設着テープや吸盤等にて取付るもので、頻繁に脱落してしまい役に立たないものであったが、入居者が簡単且つ容易に取り付けられ確実に固着出来る締付け金物の提供は、本発明の実施例にて示した通り、各種住宅用アクセサリーの種類を大幅に増やすことになる。
【図面の簡単な説明】
【図１】本発明の締付け金物を示す斜視説明図である。
【図２】本発明の締付け金物の動作を示す斜視説明図である。
【図３】本発明の実施例１を示す斜視説明図である。
【図４】本発明の実施例２を示す斜視説明図である。
【図５】本発明の実施例３を示す斜視説明図である。
【図６】図３乃至図４にて示した実施例が、扉枠のどの部位に設置されるかを示す説明図である。
【図７】本発明の実施例４を示す斜視説明図である。
【図８】本発明の実施例５を示す斜視説明図である。
【図９】図７及び図８にて示した実施例が、窓枠のどの部位に設置されるかを示す説明図である。
【符号の説明】
１  締付け金具
２  締付け金具本体
３  締付け金具部材
４  トラスネジ
５  チャンネル開口部
６  凸部
７ａ、７ｂ、７ｃ、７ｄ  ビス孔
８  カシメ用リベット孔
９，１０  滑り止めゴム
１１ａ、１１ｂ  嵌合部
１２  扉枠
１３  ホルダー
１４  ホルダー本体
１５  ベースプレイト
１６ａ、１６ｂ、１６ｃ、１６ｄ  取付ビス
１７ａ、１７ｂ  印鑑ホルダー孔
１８ａ、１８ｂ  ボールペンホルダー孔
１９  メモホルダー孔
２０  軸
２１  ドアストッパー
２２  ドアストッパー本体
２３  リベット
２４  制止ビス
２５  取付部
２６  アーム
２７  戸当りゴム
２８  玄関扉
２９  把手
３０  把手棒
３１ａ、３１ｂ  ブラケット
３２  室内物干し
３３  窓枠
３４ａ、３４ｂ、３４ｃ  物干しアーム
３５  回転軸
３６  ブラケット
３７  プランター掛け
３８  プランターアーム
３９  ブラケット
４０ａ、４０ｂ、４０ｃ  切欠部
４１ａ、４１ｂ  丸孔
４２  規制ストッパー
４３  物干し竿
【図１】
2004244825.tif 000003
【図２】
2004244825.tif 000004
【図３】
2004244825.tif 000005
【図４】
2004244825.tif 000006
【図５】
2004244825.tif 000007
【図６】
2004244825.tif 000008
【図７】
2004244825.tif 000009
【図８】
2004244825.tif 000010
【図９】
2004244825.tif 000011